【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
結着樹脂、着色剤、離型剤及び、ＢＥＴ比表面積の異なる二種の無機微粉体を少なくとも含有するトナーにおいて、
該トナーの示差走査熱量計（ＤＳＣ）測定における吸熱曲線において、温度３０〜２００℃の範囲における最大吸熱ピークのピーク温度が６０〜９０℃の範囲にあり、
上記離型剤が、少なくともスチレン系モノマーによって炭化水素系ワックスを処理してなる、少なくともスチレン系ユニットを有する処理ワックスであり、該処理ワックスはテトラヒドロフラン（ＴＨＦ）の可溶分のゲルパーミエーションクロマトグラフィー（ＧＰＣ）による分子量測定で２ピークを有し、高分子側のピーク［１］の面積をＳ1、低分子側のピーク［２］の面積をＳ2とすると、面積比が下記式（１）を満たし、
０．２≦Ｓ2／（Ｓ1＋Ｓ2）≦０．９      （１）
上記無機微粉体が（ｉ）酸化チタン微粉体及びシリカ微粉体であり、（ｉｉ）該酸化チタン微粉体のＢＥＴ比表面積が、該シリカ微粉体のＢＥＴ比表面積よりも大きく、（ｉｉｉ）該酸化チタン微粉体及び該シリカ微粉体が少なくともシリコーンオイルで処理されていることを特徴とするトナー。
【請求項２】
上記処理ワックスのＴＨＦ可溶分のＧＰＣによる分子量測定において、［１］の数平均分子量（Ｍｎ［１］）が８，０００以下、［２］の数平均分子量（Ｍｎ［２］）が２００以上を満足する請求項１に記載のトナー。
【請求項３】
上記処理ワックスのＴＨＦ可溶分のＧＰＣによる分子量測定において、Ｍｎ［１］とＭｎ［２］が下記式（２）、
１０００≦（Ｍｎ［１］−Ｍｎ［２］）≦６０００ （２）
を満足する請求項１または２に記載のトナー。
【請求項４】
上記処理ワックスは、トナー中の樹脂成分１００質量部に対して１〜２０質量部含有されている請求項１乃至３のいずれかに記載のトナー。
【請求項５】
上記処理ワックスは炭化水素系ワックス１００質量部に対して、スチレン系モノマー５〜１００質量部で処理している請求項１乃至４のいずれかに記載のトナー。
【請求項６】
上記処理ワックスは、少なくともスチレン系モノマーと不飽和カルボン酸系モノマーによって処理されることにより、少なくともスチレン系ユニットと不飽和カルボン酸系ユニットを有する炭化水素系ワックスである請求項１乃至５のいずれかに記載のトナー。
【請求項７】
上記処理ワックスは炭化水素系ワックス１００質量部に対して、スチレン系モノマーと不飽和カルボン酸系モノマーの総計５〜１００質量部で処理されており、（スチレン系モノマー質量部数／不飽和カルボン酸系モノマーの質量部数）が１〜２０である請求項６に記載のトナー。
【請求項８】
上記処理ワックスは、パラフィン炭化水素系ワックスを処理したものである請求項１乃至７のいずれかに記載のトナー。
【請求項９】
上記トナーの酸価が５〜４５ｍｇＫＯＨ／ｇであり、該トナーのＴＨＦ可溶分のＧＰＣによる分子量分布が、分子量３，０００〜４０，０００の領域にメインピークが存在し、重量平均分子量（Ｍｗ）と数平均分子量（Ｍｎ）との比（Ｍｗ／Ｍｎ）が７０以上である請求項１乃至８のいずれかに記載のトナー。
【請求項１０】
上記結着樹脂が、ポリエステルユニットとビニル系重合体ユニットとを有しているハイブリッド樹脂、またはハイブリッド樹脂とポリエステル樹脂成分との混合物である請求項１乃至９のいずれかに記載のトナー。
【請求項１１】
上記結着樹脂が、ポリエステル樹脂とビニル系重合体の混合物、或いは、ハイブリッド樹脂とビニル系重合体の混合物である請求項１乃至９のいずれかに記載のトナー。
【請求項１２】
上記結着樹脂は、ポリエステル樹脂、ハイブリッド樹脂、及びビニル系重合体の混合物である請求項１乃至９のいずれかに記載のトナー。
【請求項１３】
上記酸化チタン微粉体のＢＥＴ比表面積が７１〜２５０ｍ2／ｇである請求項１乃至１２のいずれかに記載のトナー。
【請求項１４】
上記シリカ微粉体のＢＥＴ比表面積が１０〜７０ｍ2／ｇである請求項１乃至１３のいずれかに記載のトナー。
【請求項１５】
上記酸化チタン微粉体がシランカップリング剤で処理された後、シリコーンオイルで処理されている請求項１乃至１５のいずれかに記載のトナー。
【請求項１６】
上記シリカ微粉体が有機ケイ素化合物で処理された後、シリコーンオイルで処理されている請求項１乃至１６のいずれかに記載のトナー。
【請求項１７】
上記酸化チタン微粉体に用いられるシリコーンオイルの添加量が２〜２５質量％である請求項１乃至１６のいずれかに記載のトナー。
【請求項１８】
上記シリカ微粉体に用いられるシリコーンオイルの添加量が３〜３０質量％である請求項１乃至１７のいずれかに記載のトナー。
【請求項１９】
上記シリカ微粉体の外添量が、酸化チタン微粉体の外添量よりも多い請求項１乃至１８のいずれかに記載のトナー。
【手続補正２】
【補正対象書類名】明細書
【補正対象項目名】００１３
【補正方法】変更
【補正の内容】
【００１３】
本発明は、結着樹脂、着色剤、離型剤及び、ＢＥＴ比表面積の異なる二種の無機微粉体を少なくとも含有するトナーにおいて、
該トナーの示差走査熱量計（ＤＳＣ）測定における吸熱曲線において、温度３０〜２００℃の範囲における最大吸熱ピークのピーク温度が６０〜９０℃の範囲にあり、
上記離型剤が、少なくともスチレン系モノマーによって炭化水素系ワックスを処理してなる、少なくともスチレン系ユニットを有する処理ワックスであり、該処理ワックスはテトラヒドロフラン（ＴＨＦ）の可溶分のゲルパーミエーションクロマトグラフィー（ＧＰＣ）による分子量測定で２ピークを有し、高分子側のピーク［１］の面積をＳ1、低分子側のピーク［２］の面積をＳ2とすると、面積比が下記式（１）を満たし、
０．２≦Ｓ2／（Ｓ1＋Ｓ2）≦０．９      （１）
上記無機微粉体が（ｉ）酸化チタン微粉体及びシリカ微粉体であり、（ｉｉ）該酸化チタン微粉体のＢＥＴ比表面積が、該シリカ微粉体のＢＥＴ比表面積よりも大きく、（ｉｉｉ）該酸化チタン微粉体及び該シリカ微粉体が少なくともシリコーンオイルで処理されていることを特徴とするトナーである。
【手続補正３】
【補正対象書類名】明細書
【補正対象項目名】０１２９
【補正方法】変更
【補正の内容】
【０１２９】
〔実施態様１〕
結着樹脂、着色剤、離型剤及び、ＢＥＴ比表面積の異なる二種の無機微粉体を少なくとも含有するトナーにおいて、
該トナーの示差走査熱量計（ＤＳＣ）測定における吸熱曲線において、温度３０〜２００℃の範囲における最大吸熱ピークのピーク温度が６０〜９０℃の範囲にあり、
上記離型剤が、少なくともスチレン系モノマーによって炭化水素系ワックスを処理してなる、少なくともスチレン系ユニットを有する処理ワックスであり、該処理ワックスはテトラヒドロフラン（ＴＨＦ）の可溶分のゲルパーミエーションクロマトグラフィー（ＧＰＣ）による分子量測定で２ピークを有し、高分子側のピーク［１］の面積をＳ1、低分子側のピーク［２］の面積をＳ2とすると、面積比が下記式（１）を満たし、
０．２≦Ｓ2／（Ｓ1＋Ｓ2）≦０．９  （１）
上記無機微粉体が（ｉ）酸化チタン微粉体及びシリカ微粉体であり、（ｉｉ）該酸化チタン微粉体のＢＥＴ比表面積が、該シリカ微粉体のＢＥＴ比表面積よりも大きく、（ｉｉｉ）該酸化チタン微粉体及び該シリカ微粉体が少なくともシリコーンオイルで処理されていることを特徴とするトナー。